(57)【要約】本発明は、不織布の仕上げのための２１℃で固体の組成物を開示するものである。該組成物は、(ａ)５〜７０重量％の２５〜３７℃の範囲内で溶融する成分であって、合成ワックス、パラフィン、脂肪酸エステル、ポリヒドロキシ脂肪酸エステル、脂肪アルコール、アルコキシル化脂肪酸エステル、アルコキシル化脂肪アルコール、およびこれら化合物の混合物からなる群から選択される成分、ならびに、(ｂ)５〜７０重量％の融点が成分(ａ)の融点よりも少なくとも５℃高い成分であって、ポリヒドロキシ脂肪酸エステル、Ｃ１４脂肪アルコール、Ｃ１２脂肪酸、これら脂肪アルコールおよび脂肪エステルのアルコキシル化誘導体、およびこれら成分の混合物からなる群から選択される成分を含有し、さらに成分(ｃ)として、５〜２５重量％の結晶化促進剤であって、部分グリセリド、エチレングリコールジエステルおよびポリマーワックスからなる群から選択され、４５〜７０℃の範囲内の融点を有する結晶化促進剤を含有し、該組成物は５重量％未満の水を含有する。【特許請求の範囲】
【請求項１】
少なくとも以下の成分：
(ａ)５〜７０重量％の２５〜３７℃の範囲内で溶融する成分であって、合成ワックス、パラフィン、脂肪酸エステル、ポリヒドロキシ脂肪酸エステル、脂肪アルコール、アルコキシル化脂肪酸エステル、アルコキシル化脂肪アルコール、およびこれら化合物の混合物からなる群から選択される成分、および、
(ｂ)５〜７０重量％の融点が成分(ａ)の融点よりも少なくとも５℃高い成分であって、ポリヒドロキシ脂肪酸エステル、Ｃ１４脂肪アルコール、Ｃ１２脂肪酸、これら脂肪アルコールおよび脂肪エステルのアルコキシル化誘導体、およびこれら成分の混合物からなる群から選択される成分、
を含有する２１℃で固体の組成物であって、さらに
(ｃ)５〜２５重量％の結晶化促進剤であって、部分グリセリドおよびポリマーワックスからなる群から選択され、４５〜７０℃の範囲内の融点を有する結晶化促進剤を含有し、そして５重量％未満の水を含有する組成物。
【請求項２】
成分(ｂ)が、４０〜６０℃の範囲内の融点を有することを特徴とする請求項１に記載の組成物。
【請求項３】
成分(ａ)が、８〜１８個の炭素原子を有する脂肪酸のグリセリドの混合物から、好ましくは部分グリセリドの工業用混合物および／またはグリセリドとの混合物から選択されることを特徴とする請求項１または２に記載の組成物。
【請求項４】
成分(ｂ)が、８〜１８個の炭素原子を有する脂肪酸のグリセリドの混合物から、好ましくは部分グリセリドの工業用混合物および／またはグリセリドとの混合物から選択されることを特徴とする請求項１〜３のいずれかに記載の組成物。
【請求項５】
成分(ａ)および／または成分(ｂ)のそれぞれが、ココナツ脂肪酸のグリセロールトリエステルまたは部分エステルを含有し、それぞれの場合の混合物が、特許請求の範囲に規定される範囲内の融点を有することを特徴とする請求項１〜４のいずれかに記載の組成物。
【請求項６】
Ｃ１２脂肪酸とのグリセロール部分エステル、好ましくはグリセロールモノラウレートが、成分(ｃ)として存在することを特徴とする請求項１〜５のいずれかに記載の組成物。
【請求項７】
ポリビニルステアリルエーテルが成分(ｃ)として存在することを特徴とする請求項１〜６のいずれかに記載の組成物。
【請求項８】
成分(ａ)を１０〜６０重量％の量で、成分(ｂ)を１０〜６０重量％の量で、成分(ｃ)を１０〜２５重量％の量で含有することを特徴とする請求項１〜７のいずれかに記載の組成物。
【請求項９】
３５〜６５℃、好ましくは３５〜５０℃、特に３５〜４５℃の範囲内の融点を有することを特徴とする請求項１〜８のいずれかに記載の組成物。
【請求項１０】
シリコーンワックスを、１〜６重量％、好ましくは１.５〜５.５重量％、特に２〜５重量％の量で含有することを特徴とする請求項１〜９のいずれかに記載の組成物。
【請求項１１】
皮膚にやさしい物質および／またはスキンケア物質を、０.１〜１０重量％、好ましくは１〜８重量％、特に２〜６重量％の量で含有することを特徴とする請求項１〜１０のいずれかに記載の組成物。
【請求項１２】
水を、０.５〜３重量％、好ましくは０.５〜２重量％、特に０.５〜１.５重量％の量で含有することを特徴とする請求項１〜１１のいずれかに記載の組成物。
【請求項１３】
成分(ａ)として５０〜６０重量％の３０〜３３℃の融点を有するココナツ脂肪酸グリセロールエステルの混合物、成分(ｂ)として１０〜２０重量％の５７〜６０℃の融点を有する直鎖の不飽和脂肪アルコール、成分(ｃ)として１５〜２０部の４５〜４８℃の融点を有するポリビニルステアリルエーテル、および所望により、２〜５重量％のシリコーンワックスおよび５〜１０重量％のスキンケア物質を含有することを特徴とする請求項１〜１２のいずれかに記載の組成物。
【請求項１４】
不織布の皮膚にやさしい仕上げのためのローション中の結晶化促進剤としての、グリセロールモノラウレートおよび／またはポリビニルステアリルエーテルの使用。
【請求項１５】
請求項１に記載の組成物を用いて仕上げられていることを特徴とするポリエチレンからなる不織布。
【発明の詳細な説明】
【技術分野】
【０００１】
本発明は、不織布の仕上げのための組成物、そのようなローション中の結晶化促進剤としての選択した化合物の使用、ならびに、本発明のローションで仕上げした不織布に関する。
【背景技術】
【０００２】
衛生物品、例えばおしめまたは生理用ナプキンの製造において、水性流動体を吸収させるために吸収性材料が使用される。着用時の吸収性材料との直接接触を妨げるため、および着用の快適さを増大させるために、薄い水透過性の不織布でこの材料を覆う。通常、この種の不織布は、合成繊維、例えばポリオレフィンまたはポリエステル繊維から製造される。これは、これらの繊維が低コストで製造され、良好な機械的特性を有し、熱的に安定であるためである。
【０００３】
衛生物品の分野において、寛容性および着用の快適さを全般的に改善するために、この種の不織布に、皮膚にやさしいローションを供することが増えている。例えば、独国特許ＤＥ３３０９５３０Ｃ１は、８〜１８個の炭素原子を有するココナツ油脂肪酸のトリグリセリドおよび／または部分グリセリドからなるスキンケア物質を含浸させた衛生吸収ライナーを記載している。着用されたままで問題なく、不織布から皮膚に調製物が移行することができるために、ＤＥ３３０９５３０のトリグリセリドおよび部分グリセリドの混合物は、３５〜４０℃の範囲内のライズ点(rise point)を有するように選択される。
【０００４】
衛生物品の着用中に皮膚にスキンケア物質を移行させるための別のアプローチは、国際特許出願公開ＷＯ９６／１６６８２に見られる。この公開は、２０℃において固体または半固体であり、着用したままで着用者の皮膚に移行するローションを用いて、内部カバーウェブが調製されているおむつを記載している。このローションは、１０〜９５％の室温で可塑性または液体でなければならない無水エモリエント(軟化剤)および５〜９０％の少なくとも３５℃(好ましくは４０℃)の融点を有するいわゆる固定化剤を含有する。
【０００５】
しかし、既知のローションの大きな問題は、その貯蔵安定性である。ローションそれ自体は、室温(即ち、約３６〜３８℃)において、困難なく不織布から皮膚に移行することができるような形態にあること、即ち、このような温度においてローションは、不織布から分離して皮膚に移行するのに十分な粘稠性であるべきことが必須である。しかし、この温度依存性の過程は、衛生製品を比較的高い温度(例えば３０℃以上)で貯蔵したときに問題を導きうる。この場合には、ローションが不織布上に「浸出」することがしばしば観察される。
従って、本発明の目的は、衛生物品のための不織布に適用するための皮膚にやさしいローションであって、特に高温における貯蔵安定性が確実にされているローションを提供することであった。
【０００６】
さらに、例えばおむつ中の不織布は液体を通さないものでなければならないので、通常は親水性であるように製造されていることに注意すべきである。従って、通常は疎水性の皮膚にやさしいローションによるさらなる仕上げは、ウェブを通って吸収性材料への液体の移送を減少させるか、または大きく損なうことがある。
【０００７】
さらに、ローションは、できるだけ完全に不織布から着用者の皮膚に移行し、これに関連して、所望によりさらなる追加の用途を与えるのが、例えば、臭気の発生またはそれ以外に細菌、菌類および酵母の増殖を減少させることができるのが望ましい。原則的に、ローションを不織布に容易に適用することができなければならないこと、およびそれをできるだけ既知の製造方法を用いて適用することができなければならないことは当然である。これらの特性は、従来技術の生成物を用いては全体的に達成することができないことがわかった。
【発明の開示】
【発明が解決しようとする課題】
【０００８】
本発明は、上記課題を解決するものである。
【課題を解決するための手段】
【０００９】
驚くべきことに、溶融挙動に基づいて選択した３種類の成分を混合することによって、上記目的を達成しうることを見い出した。
即ち、本発明は、第１の態様において、
少なくとも以下の成分：
(ａ)５〜７０重量％の２５〜３７℃の範囲内で溶融する成分であって、合成ワックス、パラフィン、脂肪酸エステル、ポリヒドロキシ脂肪酸エステル、脂肪アルコール、アルコキシル化脂肪酸エステル、アルコキシル化脂肪アルコール、およびこれら化合物の混合物からなる群から選択される成分、および、
(ｂ)５〜７０重量％の融点が成分(ａ)の融点よりも少なくとも５℃高い成分であって、パラフィン、ポリヒドロキシ脂肪酸エステル、Ｃ１４脂肪アルコール、Ｃ１２脂肪酸、これら脂肪アルコールおよび脂肪エステルのアルコキシル化誘導体、およびこれら成分の混合物からなる群から選択される成分、
を含有する２１℃で固体の組成物であって、さらに
(ｃ)５〜２５重量％の結晶化促進剤であって、部分グリセリド、エチレングリコールジエステルおよびポリマーワックスからなる群から選択され、４５〜７０℃の範囲内の融点を有する結晶化促進剤を含有し、そして５重量％未満の水を含有する組成物、
を提供するものである。
【００１０】
本発明の組成物は、必須成分として３種類の成分を含有し、特に、成分(ｃ)の結晶化促進剤の存在によって特徴付けられる。さらに、成分(ａ)〜(ｃ)をそれらの溶融挙動に従って選択するのが必須である。
【発明を実施するための最良の形態】
【００１１】
溶融それ自体は、熱エネルギーの供給による固体から液体集合状態への物質の変化と定義される。そこでは、粒子の動力学エネルギーの増加の結果として、その振動の振幅が大きくなり、格子構造が崩壊する。融点は、物質の液相および固相が、通常は１０１３ｈＰａの圧力において熱力学的平衡にある温度と定義される。しかし実際的には、用語「融点」は、ほとんどの場合に固体状態から液体状態への変化点に対してのみ使用され、それと同一である逆方向の変化が起こっている温度に対しては使用されない。この過程で吸収された熱の量は、融解熱または溶融エンタルピーと称される。通常、融点は圧力の増大につれて上昇するが、例外も存在する。多くの純粋物質については、融点を非常に正確に測定することができる。これは、熱の導入中のある一定時間にわたって温度が一定のままであるためである。無定形のガラス様物質については、特定の融点は存在しない。これは、ここでは結晶格子が存在しないためである。同様の現象が、油脂、軟膏、クリームまたは座剤材料の溶融挙動において観察される。このような場合には、特性化のために凝固点、いわゆるライズ点および滴点を使用することができる。
【００１２】
この結晶化促進剤の作用は、それが非常に鋭い融点[この融点は、液体ないし半液体成分(ａ)の融点より高くなければならないが、ローションが適用される温度よりも低い温度であるべきである]を有することを意味するものと理解されるべきである。比較的低い温度で溶融する成分(ａ)と比較的高い温度で溶融する成分(ｂ)との組合せ、およびそれと同時の結晶化促進剤(ｃ)の添加は、第１に高温であってもなお貯蔵安定性であり、それと同時に着用時に不織布から着用者の皮膚に移行することができるローションを与える。
【００１３】
成分(ａ)は、当業者には既知の多数の化合物から選択することができるが、その融点は２５〜３７℃の範囲内であることが必須である。第１に、この目的のために、ある種のパラフィンを使用することができるが、脂肪酸エステル、特に脂肪アルコールも使用することができる。適当なパラフィンは、好ましくは半固体パラフィン、例えば軟パラフィン、好ましくはワセリンである。適当な脂肪アルコールは、例えば、ドデカノールまたはリシノールアルコール(不飽和脂肪アルコールの１つの代表例を挙げれば)である。さらなる適当な物質は、合成ワックスの群から、例えばポリエチレン／無水マレイン酸のコポリマーから選択される。
【００１４】
本発明の目的のために、グリセリドの使用が特に適する。ここで好ましいのは、部分グリセリドとトリグリセリドの混合物であり、これは２５〜３７℃の所望の融点を有していなければならない。ここで特に好ましいのは、８〜１８個の炭素原子を有する脂肪酸のグリセリドの混合物である。
【００１５】
グリセリドは、グリセロールと脂肪酸、即ち例えば、カプロン酸、カプリル酸、２-エチルヘキサン酸、カプリン酸、ラウリン酸、イソトリデカン酸、ミリスチン酸、パルミチン酸、パルモレイン酸、ステアリン酸、イソステアリン酸、オレイン酸、エライジン酸、ペトロセリン酸、リノール酸、リノレン酸、エレオステアリン酸、アラキジン酸、ガドレイン酸、ベヘン酸およびエルカ酸、およびこれらの工業用混合物のモノ、ジおよび／またはトリエステルである。
【００１６】
これらは、以下の式(Ｉ)に従う：
【化１】
2005534815.tif 000002
[式中、ＲはＣＯＲ'基であり、ここでＲ'は、６〜２２個の炭素原子を有する分岐または未分岐の飽和または不飽和のアルキル基であり、そして／またはそれとは独立して水素である]。その代表例は、ラウリン酸モノグリセリド、ラウリン酸ジグリセリド、ココナツ脂肪酸モノグリセリド、ココナツ脂肪酸トリグリセリド、パルミチン酸モノグリセリド、パルミチン酸トリグリセリド、ステアリン酸モノグリセリド、ステアリン酸ジグリセリド、イソステアリン酸モノグリセリド、イソステアリン酸ジグリセリド、オレイン酸モノグリセリド、オレイン酸ジグリセリド、獣脂脂肪酸モノグリセリド、獣脂脂肪酸ジグリセリド、ベヘン酸モノグリセリド、ベヘン酸ジグリセリド、エルカ酸モノグリセリド、エルカ酸ジグリセリド、およびこれらの工業用混合物である(これらは製造過程に由来する二次成分として少量のトリグリセリドを含有していることもある)。
【００１７】
成分(ａ)として適するのは、特に、本出願人により商品名Novata Bのもとで市販されているココナツ部分グリセリドおよびトリグリセリドの混合物である。Novata Bは、融点(ＤＧＦ ＣＩＶ ３ａに従う)が３３〜３６℃であり、酸価(ＤＧＦ ＣＶ２に従う)が０.３である。鹸化価(ＤＧＦ ＣＶ３に従う)は２２５〜２４０である。その分子量は７１０である。成分(ａ)のためのさらなる適当な混合物は、本出願人からのNovata 299(融点３４℃)である。
【００１８】
成分(ｂ)は、当該組成物において使用される成分(ａ)の融点よりも少なくとも５℃高い融点を有していなければならない。ここで特に好ましいのは、Ｃ１４-２２脂肪アルコール、Ｃ１２-２２脂肪酸およびこれらのアルコキシル化誘導体、ならびに、脂肪アルコールおよびエステルの群の化合物である。しかし、所望の溶融特性を有する硬パラフィンも適している。またこの場合には、特に、Ｃ８-１８脂肪酸の異なるグリセリドの混合物が、本願の技術的教示の目的のための成分(ｂ)として適している。成分(ａ)および成分(ｂ)の両方に特に適するのは、ココナツ脂肪酸のグリセロールトリエステルおよび部分エステルである。これらはＣ８〜Ｃ１８のものであり、グリセリドの鎖長またはエステル化度の選択に依存して、異なる融点を有する混合物を創製することができる。ラウリン酸(Ｃ１４)およびミリスチン酸(Ｃ１６)エステルの混合物が主に存在する。
【００１９】
使用される比較的高い融点の成分(ｂ)は、好ましくは、本出願人からのNovata Dである。これも、ココナツ脂肪酸のトリグリセリドおよび部分グリセリドの混合物であるが、異なる融点範囲を有する。Novata Dは、融点(ＤＧＦ ＣＩＶ ３ａに従う)が４０〜４２℃であり、酸価(ＤＧＦ ＣＶ２に従う)が０.３である。鹸化価(ＤＧＦ ＣＶ３に従う)は２１５〜２３０である。
【００２０】
結晶化促進剤成分(ｃ)の使用は、本発明にとって必須である。これは、その融点範囲が、第１に少なくとも４５℃であり、第２に、好ましくはできるだけ狭いものであるべきであり、従って、４.５℃以上、好ましくは２.５℃以上およびそれ以下にわたって広がらないものであるべきである物質である。
【００２１】
ここで成分(ｃ)として特に適するのは、Ｃ１２〜Ｃ２１脂肪酸との選択されたグリセロール部分エステル、好ましくは、融点範囲(ＤＧＦ ＣＩＶ ３ａに従う)が５８〜６０℃であるグリセロールモノステアレートまたは融点範囲(ＤＧＦ ＣＩＶ ３ａに従う)が５６〜６０℃であるグリセロールモノラウレートである。さらなる適するモノグリセリドは、グリセロールモノカプレート(融点５３℃)またはグリセロールミリステート(融点７０.５℃)である。
【００２２】
本発明に従って結晶化促進剤(ｃ)を使用すると、問題なく不織布に適用することができるローションが得られる。これは、その溶融温度が、比較的低溶融の成分(ａ)の溶融温度よりも高いが、不織布へのローションの適用温度に達するほどには高くないためである。適用温度は好ましくは６０〜８０℃であるが、使用する結晶化促進剤に依存して、適用温度を適合させることが必要である。
【００２３】
成分(ａ)〜(ｃ)の選択において、これらの融点が第１に重要なことである。さらに、少なくとも３種類の異なる物質が、本発明の組成物中に成分(ａ)〜(ｃ)の定義に従って存在していることを考慮すべきである。好ましくは、成分(ｃ)は、３０〜３５℃の範囲内の融点を有する。特に好ましくは、成分(ｃ)は成分(ｂ)の融点より低い融点を有し、好ましくは５〜１０℃、特に１０〜１５℃低い融点を有する。
【００２４】
組成物それ自体は、好ましくは３５〜６５℃、特に３５〜５０℃、好ましくは３５〜４５℃の範囲内の融点を有する。本組成物の溶融挙動は、その使用にとって必須である。即ち、本発明の組成物は、好ましくはＤＳＣ測定によって確かめることができるように、互いに明確に分離した２つの溶融範囲を有するのが好ましい。組成物の溶融エンタルピーは、好ましくは８０〜１６０Ｊ／ｇ、特に９０〜１４０Ｊ／ｇ、特に好ましくは１００〜１２５Ｊ／ｇである。さらに、上で引用したＷＯ９６／１６６８２およびさらにＷＯ９６／１６６８１に開示されているように、液体または半固体の化合物の同時使用は除外される。
【００２５】
本発明の組成物は無水である。即ち、これらは、５重量％、好ましくは０.５〜３重量％、特に０.１〜２.０重量％の合計量で水を含有する。従って、製造中の費用のかかる乾燥工程を避けるために、無水の成分(ａ)〜(ｃ)を選択するのが好ましい。
【００２６】
本発明の組成物の好ましい態様において、成分(ａ)は１０〜６０重量％の量で存在し、成分(ｂ)は１０〜６０重量％の量で存在し、そして成分(ｃ)は１０〜３０重量％の量で存在する。
【００２７】
さらに、他の通常の成分が本発明の組成物中に存在していてもよい。これらの成分は、例えば、１〜６重量％、好ましくは１.５〜５.５重量％、特に２〜５重量％の量のシリコーンワックスまたはポリシロキサンである。ポリシロキサンは、モノマー単位として以下の構造を含む既知のポリマー化合物である：
【化２】
2005534815.tif 000003
[式中、Ｒ''およびＲ'''は、互いに独立して、水素またはアルキル、シクロアルキル、アリールもしくはアルケニル基である]。この種のシロキサンは、好ましくは、３７℃で５〜５０００ｍＰａｓの粘度を有する。
【００２８】
さらに、本発明の組成物は、皮膚にやさしい物質またはスキンケア物質を、好ましくは０.１〜１０重量％、特に１〜８重量％、特に好ましくは２〜６重量％の量で含有することができる。
【００２９】
この種の成分は、例えば、ビサボロール、アラントインおよびパンテノールであってよい。また、ビタミン類、好ましくはビタミンＥおよびビタミン前駆体、およびタンパク質加水分解物を使用することもできる。また適するのは、植物抽出物、好ましくはカミツレ、アロエ、ライム花、セイヨウトチノキ、緑茶、オーク樹皮、ニセホウレンソウ、ホップ、ゴボウ、トクサ、サンザシ、アーモンド、トウヒ針葉、アーモンド木、ビャクシン、ココナツ、アプリコット、レモン、コムギ、キーウィ、メロン、オレンジ、グレープフルーツ、セージ、ローズマリー、カバノキ、アオイ、ハナタネツケバナ、タイム、バルサム、ハリモクシュク、カントウ、タチアオイ、チョウセンニンジンおよび根ショウガからの抽出物である。しかし、さらに他のスキンケア物質が存在していてもよい。ここで挙げることができる物質は、特に、キトサンおよび酸化亜鉛またはリシノール酸亜鉛である。
【００３０】
本発明の特に好ましい組成物は、成分(ａ)として５０〜６０重量％の３０〜３３℃の融点を有するココナツ脂肪酸グリセロールエステルの混合物、成分(ｂ)として１０〜２０重量％の５７〜６０℃の融点を有する直鎖の不飽和脂肪アルコール、成分(ｃ)として１５〜２０部の４５〜４８℃の融点を有するポリビニルステアリルエーテル、および所望により２〜５重量％のシリコーンワックス、および所望により５〜１０重量％のスキンケア物質、好ましくはアボカド油を含有する。
【００３１】
本組成物は、自体普通の方法で、個々の液体成分を混合することによって、即ち高温で、好ましくは４０〜８０℃で、特に５０〜７０℃で混合することによって製造する。成分の混合中の特定の順序は必要ではない。次いで、組成物を室温(２１℃)まで冷却する。
【００３２】
さらに本発明は、不織布の皮膚にやさしい仕上げのためのローション中の結晶化促進剤としての、グリセロールモノラウレートおよび／またはポリビニルステアリルエーテルの使用を提供するものである。
【００３３】
不織布は当業者には既知の物質である。本発明の目的に好ましい不織布は、完全にまたは部分的にポリオレフィンからなるものである。これに適するのは、現在までに知られているエチレンまたはプロピレンに基づく全ての種類のポリマーおよびコポリマーである。純粋なポリオレフィンとコポリマーとの混合物も原則的に適している。本発明の教示に特に適するポリマー種を以下に挙げる：ポリ(エチレン)、例えばＨＤＰＥ(高密度ポリエチレン)、ＬＤＰＥ(低密度ポリエチレン)、ＶＬＤＰＥ(超低密度ポリエチレン)、ＬＬＤＰＥ(線状低密度ポリエチレン)、ＭＤＰＥ(中密度ポリエチレン)、ＵＨＭＰＥ(超高分子ポリエチレン)、ＣＰＥ(架橋ポリエチレン)、ＨＰＰＥ(高圧ポリエチレン)；アイソタクチックポリプロピレン；シンジオタクチックポリプロピレン；メタロセン触媒下で製造したポリプロピレン、衝撃改変したポリプロピレン、エチレンとポリプロピレンに基づくランダムコポリマー、エチレンとポリプロピレンに基づくブロックコポリマー；ＥＰＭ(ポリ[エチレンプロピレン])；ＥＰＤＭ(ポリ[エチレンプロピレン共役ジエン])。さらに適するポリマー種は次の通りである：ポリ(スチレン)；ポリ(メチルスチレン)；ポリ(オキシメチレン)；メタロセン触媒のα-オレフィンまたはシクロオレフィンコポリマー、例えばノルボルネンエチレンコポリマー；少なくとも８０％のエチレンおよび／またはスチレンおよび２０％未満のモノマー(例えば、酢酸ビニル、アクリルエステル、メタクリルエステル、アクリル酸、アクリロニトリル、塩化ビニル)を含有するコポリマー。このようなポリマーの例は次の通りである：ポリ(エチレンアクリル酸エチル)、ポリ(エチレン酢酸ビニル)、ポリ(エチレン塩化ビニル)、ポリ(スチレンアクリロニトリル)。また適するのは、グラフトコポリマーおよびポリマーブレンド、即ちポリマーの混合物、特に上記ポリマーが存在する混合物、例えばポリエチレンとポリプロピレンに基づくポリマーブレンドである。
【００３４】
本発明の範囲内で、エチレンとポリプロピレンに基づくホモポリマーおよびコポリマーが特に好ましい。本発明の１つの態様においては、ポリエチレンをポリオレフィンとして唯一使用し、別の態様においては、ポリプロピレンを唯一使用し、他の態様においては、エチレンとポリプロピレンに基づくコポリマーを使用する。
【００３５】
本発明の特に好ましい態様においては、成分(ａ)はポリプロピレンである。さらに本発明は、生地を製造するための、上記方法によって製造され水性媒体で湿潤させうる親水性化ポリオレフィンまたはポリエステルに基づく繊維の使用を提供するものである。好ましくは、この生地は不織布である。特に好ましい態様においては、この生地はおむつにおける使用が意図される。
【００３６】
また、本発明は、ポリエチレンを含む不織布を上記の組成物で仕上げするという技術的教示をも包含する。
【実施例】
【００３７】
本発明に従う以下の組成物１および２を製造し、その溶融挙動を調べた。この目的のために、ＤＳＣ測定をそれぞれの場合に行った。加熱／冷却速度は、それぞれ１０Ｋ／分および−１Ｋ／分であった。
【００３８】
組成物１：
ａ）５８重量％の、ココナツ脂肪酸の部分グリセリドおよびトリグリセリドの混合物、融点３４℃；
ｂ）１５重量％のステアリルアルコール、融点５６〜５８℃；
ｃ）２０重量％のポリビニルステアリルエーテル、融点４５℃；
ｄ）２重量％のシリコーンワックス。
この組成物の融点は４９℃であった。融解熱は１１２Ｊ／ｇであった。
【００３９】
組成物２：
ａ）５５重量％の、ココナツ脂肪酸の部分グリセリドおよびトリグリセリドの混合物、融点３４℃；
ｂ）１５重量％のグリセロールモノラウレート、融点６３℃；
ｃ）２０重量％のポリビニルステアリルエーテル、融点４５℃；
ｄ）５重量％のシリコーンワックス。
融点は４６℃であった。融解熱は８２Ｊ／ｇであった。
【００４０】
上記の組成物は、問題なく不織布に適用することができ、衛生製品のための不織布の製造に適している。
本発明のローションの冷却特性を測定するために、３種類のローションを調製し、７０℃に加熱した。ローション１および２は、本発明に従って結晶化促進剤を含有した。ローション３は、この化合物を含んでいなかった。
熱ローションを、傾斜ガラスプレート(角度３５°)上に置いた(それぞれ０.５ｍｌ)。次いで、滴下物が停止するまでの距離を測定した。ローション１および２については、約１５ｃｍの距離が測定された。請求項１に従う化合物(ｃ)を含まないローションは、停止するまでに２１ｃｍを要した。
【国際調査報告】
2005534815.tif 000004
2005534815.tif 000005
2005534815.tif 000006